(57)【要約】【課題】本発明では、半田不良を起こしにくいパッド構造を有したプリント配線板等を提供することを目的とするものである。【解決手段】請求項１記載の発明は、基板本体１５と、基板本体に設けられ、半田流動方向に対し後方近傍に他の電子部品が配置されていない場合には半田流れを停滞させるように形成され、半田流動方向に対し前方近傍に他の電子部品が配置されている場合には半田流れを円滑にするように形成されたパッドＡ１，Ｂ１と、パッドに半田付けされて配置された電子部品Ａ，Ｂとを具備していることを特徴とする。【選択図】図３
2005005418.tif 000002
【特許請求の範囲】
【請求項１】
基板本体と；
基板本体に設けられ、半田流動方向に対し後方近傍に他の電子部品が配置されていない場合には半田流れを停滞させるように形成され、半田流動方向に対し前方近傍に他の電子部品が配置されている場合には半田流れを円滑にするように形成されたパッドと；
パッドに半田付けされて配置された電子部品と；
を具備していることを特徴とするプリント配線板。
【請求項２】
ケース体と；
請求項１記載のプリント配線板を有し、プリント配線板の長手方向の端部に端子台を実装するとともに中間部に他の回路部品を実装してなり、前記端子台を前記ケース体外に配置して前記ケース体に収められた回路モジュールと；
を具備していることを特徴とする放電灯点灯装置。
【請求項３】
シャーシと；
シャーシに取付けられた請求項２記載の放電灯点灯装置と；
シャーシに取付けられたランプソケットと；
ランプソケットに取外し可能に支持されて前記放電灯点灯装置で点灯される放電灯と；
を具備していることを特徴とする照明器具。
【発明の詳細な説明】
【０００１】
【発明の属する技術分野】本発明は、プリント配線板、放電灯点灯装置およびの照明器具に関する。
【０００２】
【従来の技術】従来、フロー式半田付け方法により例えば４方向リードフラットパッケージＩＣ等の表面実装部品を半田付けする場合、フラットパッケージＩＣ装着面をフロー式半田槽中へ浸して半田噴流当てて半田付けを行っている。そして、プリント配線基板はフロー式半田槽を半田フロー進行方向に移動した後、フロー式半田槽から引き上げられる。この際、溶融半田の流れや半田ランド群の表面張力により４方向リードフラットパッケージＩＣの側方角部と後方角部に半田が溜まりやすくなり、半田ブリッジが発生する傾向があった。
【０００３】
この半田ブリッジを低減するために、プリント配線基板に４方向リードフラットパッケージＩＣのリードに対応するように形成された半田付けランド群１０５ａ，ｂ，ｃ，ｄ、半田フロー進行方向に対して半田付けランド群の側方の角部に配置された電気部品であるチップ抵抗１０３ａ，ｂ、半田フロー進行方向に対して半田付けランド群の後方角部に配置された半田引込みランドを設けている。
【０００４】
したがって、半田フロー時には、図４に示すように溶融半田は、リードフラットパッケージＩＣの側面部に沿って流れることになる。そして、プリント配線基板を半田フロー槽から引き上げるときに、まず、半田付けランド群の側方のチップ抵抗用半田付けランドの表面張力の作用によって、半田付けランド群から余剰半田を引取るとともに、後方に対して半田の流動性を向上させる。また、半田付けランド群から余剰半田に対しては、後方半田引込みランドの表面張力の作用によって引取るので、半田付けランド群後方角部における半田溜りを防止することができるというものである。（例えば、特許文献１参照）。
【０００５】
【特許文献１】特開２００１−３５２１５９号公報（第３頁、第１８段落、図２）。
【０００６】
【発明が解決しようとする課題】このような場合、半田フロー進行方向に対して半田付けランド群の側方の角部に配置された電気部品であるチップ抵抗１０３ａ，ｂ、半田フロー進行方向に対して半田付けランド群の後方角部に配置された半田引込みランドを特別に配置しなければならず無駄がある。
【０００７】
そこで、本発明では、半田不良を起こしにくいパッド構造を有したプリント配線板、このプリント配線板を有する放電灯点灯装置、およびこの放電灯点灯装置を用いた照明器具を提供することを目的とするものである。
【０００８】
【課題を解決するための手段】請求項１記載の発明は、基板本体と；基板本体に設けられ、半田流動方向に対し後方近傍に他の電子部品が配置されていない場合には半田流れを停滞させるように形成され、半田流動方向に対し前方近傍に他の電子部品が配置されている場合には半田流れを円滑にするように形成されたパッドと；パッドに半田付けされて配置された電子部品と；を具備していることを特徴とする。
【０００９】
本発明よれば、所望の電子部品において、半田流動方向に対し後方近傍に他の電子部品が配置されていない場合には、当該電子部品付近における半田の流れが相対的に速くなり、パッドに付着する半田量が少なくなる傾向になるので、半田流れを相対的に遅くさせるようなパッド形状にしている。また、所望の電子部品において、半田流動方向に対し前方近傍に他の電子部品が配置されている場合には、半田流れが抑制されるので、当該電子部品付近における半田の流れが相対的に遅くなり、パッドに付着する半田量が多くなる傾向になるので、半田流れを相対的に速くさせるようなパッド形状をしている。
【００１０】
なお、「半田流動方向に対し後方近傍に」とは、所望の電子部品の直ぐ後にということではなく、例えば、抵抗１個分くらいのスペースを開けて他の電子部品が配置されているような場合をいう。また、「半田流動方向に対し前方近傍に」とは、所望の電子部品の直ぐ前に他の電子部品が配置されている場合をいう。また、所望の電子部品のリード線がクリンチされて基板に固定される場合には、そのクリンチ方向を半田の流れと同一又は逆方向にして半田の流れを乱さないようなクリンチ形状にするのが好ましい。なお、クリンチとは、プリント配線基板の貫通孔にリード線を挿入した後、折り曲げることをいう。クリンチされた後、電子部品はプリント配線板に仮固定される。
【００１１】
したがって、半田不足による接触不良や半田ブリッジ等の不具合を低減し、品質の良いプリント配線板を製造することができる。
【００１２】
請求項２記載の発明は、ケース体と；請求項１記載のプリント配線板を有し、プリント配線板の長手方向の端部に端子台を実装するとともに中間部に他の回路部品を実装してなり、前記端子台を前記ケース体外に配置して前記ケース体に収められた回路モジュールと；を具備していることを特徴とする。本発明によると、請求項１記載のプリント配線板を使用しているので、品質の良い放電灯点灯装置を提供することができる。
【００１３】
請求項３記載の発明は、シャーシと；シャーシに取付けられた請求項２記載の放電灯点灯装置と；シャーシに取付けられたランプソケットと；ランプソケットに取外し可能に支持されて前記放電灯点灯装置で点灯される放電灯と；を具備していることを特徴とする。本発明によると、請求項２記載の放電灯点灯装置を使用しているので、品質の良い照明器具を提供することができる。
【００１４】
【発明の実施の形態】本発明の一実施の形態を示すプリント配線板、放電灯点灯装置および照明器具について、図１〜図３を参照して説明する。
【００１５】
図１は、本発明の一実施の形態に係る照明器具を一部断面して示す側面図であり、図１に示す照明器具１は、下面が開放した細長い箱状のシャーシ２を備え、このシャーシ２の下面は反射板３で塞がれている。シャーシ２の長手方向両端部にはランプソケットとして例えば蛍光ランプソケット４が夫々取付けられ、これらソケット４は反射板３の長手方向両端部を貫通している。シャーシ２内には、いわゆる電子安定器と称される放電灯点灯装置５が収容されている。この点灯装置５により点灯される放電灯としての直管形蛍光ランプ６が、その長手両端を夫々ランプソケット４に取外し可能に接続支持されて反射板３の下側に配置されている。
【００１６】
図２は、図１の照明器具が備える本発明の一実施の形態に係る放電灯点灯装置を示す斜視図であり、図２に示す放電灯点灯装置５は、ケース体１１と、電子部根が実装された回路モジュール１２とを具備している。ケース体１１は、鉄又はアルミニューム製のベースケース１３およびカバーケース１４を連結して細長い箱形容器状に形成されている。回路モジュール１２は、その長手方向両端部を除いてケース体１１に収められている。
【００１７】
回路モジュール１２は、これをくるむように設けられる図示しない絶縁シートでケース体１１から電気的に絶縁されていて、インバータにより電力変換を行なって蛍光ランプ６の点灯制御をするものである。
【００１８】
ベースケース１３の長手方向両端部には夫々固定孔１３ａ（一方のみ図示）が開けられている。これら固定孔１３ａに通される図示しないねじをシャーシ２にねじ込むことにより、放電灯点灯装置５は図２で示す姿勢とは上下逆様の姿勢でシャーシ２に取付けられる。この取付け状態ではベースケース１３がシャーシ２の内面に接触して、放電灯点灯装置５の熱をシャーシ２に放出できる。
【００１９】
カバーケース１４はベースケース１３より短かくすることで、基板本体であるプリント配線基板１５の長手方向両端部を、ケース体１１の長手方向両端部に露出させている。図２中１４ａはカバーケース１４の長手方向の両端部を折り曲げてなる端板（一方のみ図示）を示していて、この端板１４ａを境に回路モジュール１２の長手方向の端部が露出されている。
【００２０】
回路モジュール１２は、プリント配線基板１５と、この配線基板１５の少なくとも一面に実装された多数の回路部品１６と、入力側端子台１７と、出力側端子台１８とを備えている。端子台１７、１８はケース体１１から露出されたプリント配線基板１５の長手方向両端部に個別に実装されている。端子台１７には図示しない電源供給用電線が差し込み接続される。出力側端子台１８には図示しない器具内配線用電線が差込み接続される。
【００２１】
プリント配線基板１５は、その一面を主たる各種回路部品１６等の部品実装面とした硬質な絶縁基板と、この他面に積層された銅箔パターン等からなる配線層と、この配線層を覆った半田レジスト層、半田が付着するパッド、およびパッドに半田接続される抵抗等の電子部品とを有している。また、多数の回路部品１６と配線層とは蛍光ランプ６の点灯を制御するための点灯回路を形成している。各回路部品１６が実装されたプリント配線基板１５の一面は、その長手方向両端部を除いてカバーケース１４で覆われている。
【００２２】
図３は、プリント配線基板１５の他面に形成されたパッドおよびこのパッドに半田接続される抵抗等の電子部品を抽出して表した図である。プリント配線基板１５においては、第１の電子部品Ａにおいて、半田流動方向に対し後方近傍に他の電子部品が配置されていない場合には、当該電子部品Ａ付近における半田の流れが相対的に速くなり、パッドＡ１に付着する半田量が少なくなる傾向になるので、半田流れを相対的に遅くさせるようなパッドＡ１形状にしている。すなわち、外形台形形状であり、半田が流れてくる側の辺の長さを長くして流れの速度を遅くするとともに、後方の形状をテーパ状に形成することにより、半田の流れに乱れが生じないようにしている。したがって、パッドの後方側は、半円形状にしてもよいし、三角形状にしてもよい。
【００２３】
また、第２の電子部品Ｂにおいて、半田流動方向に対し前方近傍に他の電子部品Ｃが配置されている場合には、この電子部品により半田流れが抑制されるので、当該第２の電子部品Ｂ付近における半田の流れが相対的に遅くなり、パッドＢ１に付着する半田量が多くなる傾向になるので、半田流れを相対的に速くさせるようなパッドＢ１形状にしている。すなわち、外形台形形状であり、半田が流れてくる側の辺の長さを短くして流れの速度を速くするとともに、後方にいくに従って広がるテーパ状に形成することにより、半田が流れやすくなるようにしている。したがって、パッドの前方側は、半円形状にしてもよいし、三角形状にしてもよい。また、パッドＢ２の形状は、第２の電子部品Ｂの後方に配置される他の電子部品の存在の有無により、その形状を考慮すればよい。すなわち、他の電子部品が在る場合には、その電子部品近傍において、半田の流れが遅くなるので、パッドＢ２の大きさを相対的に小さくするか、パッドＢ１のような形状にして半田流れが速まるようにすればよい。また、他の電子部品が無い場合には、半田の流れが速くなるので、パッドＢ２の大きさを相対的に大きくするか、パッドＡ１のような形状にして半田流れが遅くなるようにすればよい。
【００２４】
【発明の効果】請求項１記載の発明によると、半田流動方向に対し後方近傍に他の電子部品が配置されていない場合には半田流れを停滞させるように形成され、半田流動方向に対し前方近傍に他の電子部品が配置されている場合には半田流れを円滑にするように形成されたパッドを有しているので、半田不足による接触不良や半田ブリッジ等の不具合を低減し、品質の良いプリント配線板を製造することができる。
【００２５】
請求項２記載の発明によると、請求項１記載のプリント配線板を使用しているので、品質の良い放電灯点灯装置を提供することができる。
【００２６】
請求項３記載の発明によると、請求項２記載の放電灯点灯装置を使用しているので、品質の良い照明器具を提供することができる。
【図面の簡単な説明】
【図１】本発明の一実施の形態に係る照明器具を一部断面して示す側面図。
【図２】図１の照明器具が備える本発明の一実施の形態に係る放電灯点灯装置を示す斜視図。
【図３】プリント配線基板の他面に形成されたパッドおよびこのパッドに半田接続される抵抗等の電子部品を抽出して表した図。
【図４】従来のプリント配線基板の半田フロー時の半田流れを示す図。
【符号の説明】１…照明器具、２…シャーシ、４…ランプソケット、５…放電灯点灯装置、６…蛍光ランプ（放電灯）、１１…ケース体、１２…回路モジュール、１５…プリント配線基板、１６…回路部品、１７、１８…端子台、Ａ…第１の電子部品、Ｂ…第２の電子部品、Ａ１，Ｂ１，Ｂ２…パッド。
【図１】
2005005418.tif 000003
【図２】
2005005418.tif 000004
【図３】
2005005418.tif 000005
【図４】
2005005418.tif 000006